(57)【要約】【課題】インナー衣類の連結構造が一方のホックと他方のホックとが係合するタイプであり、アウター衣類に配置された構造が線状ファスナーである場合や、その逆であったりする場合であっても、アウター衣類とインナー衣類を連結することができる衣類連結具等を提供する。【解決手段】それぞれ帯状体２５，２６、ファスナーエレメント２７ａ，２８ａ、ホック２９，３０を含む一方及び他方の衣類連結具２１，２２からなる一対の衣類連結具である。上記ファスナーエレメント２７ａ，２８ａは、アウター衣類１の左右のアウター側エレメント１５ａ，１６ａに噛合されるばかりではなく、他のインナー衣類５２の左右のインナー側ファスナーエレメント５９ａ，６４ａにも噛合され、また、上記ホック２９，３０は、左右のインナー側ホック３，４に連結・嵌合されるばかりではなく、他のアウター衣類５１の左右のアウター側ホック５６，５８にも連結・嵌合される。【選択図】  図４
2019119968.tif 000002
【特許請求の範囲】
【請求項１】
所定の長さ幅に成形された一方の帯状体と、この一方の帯状体の長さ方向に固定され一方のファスナーエレメントが固定された一方のファスナーテープと、上記一方の帯状体の長さ方向に所定間隔を隔てて複数固定され又は形成された一方のホック若しくは一方のボタン又は一方のボタンホールと、を含む一方の衣類連結具と、
所定の長さ幅に成形された他方の帯状体と、この他方の帯状体の長さ方向に固定され他方のファスナーエレメントが固定された他方のファスナーテープと、上記一方の帯状体の長さ方向に所定間隔を隔てて複数固定され又は形成された他方のホック若しくは他方のボタンホール又は他方のボタンと、を含む他方の衣類連結具と、を備え、
上記一方のファスナーエレメントは、ジャンパー又はコート等のアウター衣類の左身頃又は右身頃の裏側に配置されたアウター側左ファスナーエレメント又はアウター側右ファスナーエレメントに噛合する部位であるとともに、ベスト又はジャケット等のインナー衣類の左前立て又は右前立てに沿って配置されたインナー側左ファスナーエレメント又はインナー側右ファスナーエレメントに噛合する部位であり、
上記一方のホック若しくは一方のボタン又は一方のボタンホールのそれぞれは、上記インナー衣類の左前立て又は右前立てに沿って固定又は形成されたインナー側ホック若しくはボタンホール又はボタンに連結する部位であるとともに、上記アウター衣類の左身頃又は右身頃の裏側に配置されたアウター側ホック若しくはアウター側ボタンホール又はアウター側ボタンに連結する部位であり、
上記他方のファスナーエレメントは、上記アウター衣類の右身頃又は左身頃の裏側に配置されたアウター側右ファスナーエレメント又はアウター側左ファスナーエレメントに噛合する部位であるとともに、上記インナー衣類の右前立て又は左前立てに沿って配置されたインナー側右ファスナーエレメント又はインナー側左ファスナーエレメントに噛合する部位であり、
上記他方のホック若しくは他方のボタン又は他方のボタンホールのそれぞれは、上記インナー衣類の右前立て又は左前立てに沿って固定又は形成されたインナー側ホック若しくはボタンホール又はボタンに連結する部位であるとともに、上記アウター衣類の右身頃又は左身頃の裏側に配置されたアウター側ホック若しくはアウター側ボタンホール又はアウター側ボタンに連結する部位である、
ことを特徴とする一対の衣類連結具。
【請求項２】
請求項１記載の一対の衣類連結具を構成する一方の衣類連結具と他方の衣類連結具とにより互いに連結されたジャンパー又はコート等のアウター衣類とベスト又はジャケット等のインナー衣類とを備えてなることを特徴とする衣類。
【発明の詳細な説明】
【技術分野】
【０００１】
本発明は、ジャンパー又はコート等のアウター衣類とこのアウター衣類の内側に着用されるインナー衣類とを互いに連結する一対の衣類連結具や、これら一対の衣類連結具を介して互いに連結された衣類（アウター衣類及びインナー衣類）に関するものである。
【背景技術】
【０００２】
これまでジャンパー又はコート等のアウター衣類には、ファスナー等を介して該アウター衣類の内側にライナーを装着できるようにしたものが市販されている。例えば、特許文献１に開示された上着は、右前立てに沿って複数のボタンが取り付けられている一方、左前立てには上記ボタンが挿通されるボタンホールが形成されており、右身頃の裏側には右ファスナーエレメントが固定された右ファスナーテープが取り付けられ、左身頃の裏側には左ファスナーエレメントが固定された左ファスナーテープが取り付けられている。そして、この上着の裏側には、上記右ファスナーエレメントと噛合するライナー側右ファスナーテープと、上記左ファスナーエレメントに噛合するライナー側左ファスナーエレメントが固定された左ファスナーテープとが固定されたライナーが取り付けられている。したがって、上記特許文献１に開示された上着と上記ライナーとは着脱自在とされている。また、特許文献２には、上記上着とベストとが面ファスナーにより着脱自在とされたものが開示されており、また、特許文献３には、ライナーが上着に対してボタン（とボタンホール）とで着脱自在に取り付けられたジャケットが開示されている。なお、上記ライナーは、上記上着、ジャケット、コート或いはジャンパー（以下、アウター衣類と言う。）と常に一体的に使用されるタイプのものと、アウター衣類とは独立してそれ自体が単体で使用されるタイプのものが市販されている。こうした単体で使用されるライナー（インナー衣類と言う。）は、ベストのように左右の袖が無いタイプのものばかりでなく、左右の袖を備えたタイプのものも存在する。こうしたインナー衣類は、上記アウター衣類の内側に取り付けて着用することにより、防寒機能が高められる。
【先行技術文献】
【特許文献】
【０００３】
【特許文献１】実用新案登録第３１６５１９３号公報
【特許文献２】特開２００５−２８１８９８号公報
【特許文献３】実用新案登録第３２０１７３２号公報
【発明の概要】
【発明が解決しようとする課題】
【０００４】
ところで、上述したアウター衣類とインナー衣類との接合構造、とりわけインナー衣類の前立てが、線状ファスナーにより開閉されるタイプの場合には、上記特許文献１に開示された上着のように、左右の前立てに沿ってアウター衣類の裏側にファスナーテープを固定し、このファスナーテープにそれぞれ固定された各ファスナーエレメントと、インナー衣類を開閉するファスナーエレメントとを噛合させる構造が採用されており、インナー衣類の左右の前立ての開閉が、ボタンとボタンホール（若しくは一方のホックと他方のホック）との係合による場合には、上記特許文献３に開示された構造のように、アウター衣類の左右の前身頃の裏側に、ボタンホール又はボタン（若しくは一方のホック又は他方のホック）を固定し、それぞれのボタンとボタンホール（若しくは他方のホック又は一方のホック）との係合により、アウター衣類の内側にインナー衣類を装着する構造が採用されている。
【０００５】
しかしながら、上述したように、インナー衣類の左右の前立ての連結構造は、線状ファスナーによるタイプとボタンとボタンホール（若しくは一方のホックと他方のホック）との係合によるタイプがあり、アウター衣類に対してインナー衣類を装着するためには、該インナー衣類の前立ての連結構造に対応した連結構造をアウター衣類の内側に設ける必要があり、これらアウター衣類とインナー衣類のそれぞれ設けられた連結構造が互いに異なる場合には、該インナー衣類をアウター衣類に装着することはできない。すなわち、インナー衣類の前立ての連結構造が線状ファスナーである場合には、これに対応した線状ファスナーがアウター衣類の前身頃の裏側に配置されている必要があるし、インナー衣類の前立ての連結構造がボタンとボタンホール（若しくは一方のホックと他方のホック）との係合（連結）である場合には、これに対応したボタンホール又はボタン（若しくは他方のホックと一方のホック）がアウター衣類の前身頃の裏側に配置されている必要があり、これらの対応関係がない場合には、アウター衣類の内側にインナー衣類を装着することは不能となる。
【０００６】
そこで、本発明は、上述した従来の課題を解決するために提案されたものであって、例えば、インナー衣類の前立ての連結構造が一方のホックと他方のホックとが係合（連結）するタイプであり、アウター衣類の前身頃の裏側に配置された構造が、上記インナー衣類の連結構造とは異なる線状ファスナーである場合や、その逆であったりする場合であっても、アウター衣類の内側にインナー衣類を装着することができる衣類連結具やこの衣類連結具により連結された衣類を提供することを目的とするものである。
【課題を解決するための手段】
【０００７】
本発明は、上記課題を解決するために提案されたものであって、第１の発明（請求項１記載の発明）は、所定の長さ幅に成形された一方の帯状体と、この一方の帯状体の長さ方向に固定され一方のファスナーエレメントが固定された一方のファスナーテープと、上記一方の帯状体の長さ方向に所定間隔を隔てて複数固定され又は形成された一方のホック若しくは一方のボタン又は一方のボタンホールと、を含む一方の衣類連結具と、所定の長さ幅に成形された他方の帯状体と、この他方の帯状体の長さ方向に固定され他方のファスナーエレメントが固定された他方のファスナーテープと、上記一方の帯状体の長さ方向に所定間隔を隔てて複数固定され又は形成された他方のホック若しくは他方のボタンホール又は他方のボタンと、を含む他方の衣類連結具と、を備え、上記一方のファスナーエレメントは、ジャンパー又はコート等のアウター衣類の左身頃又は右身頃の裏側に配置されたアウター側左ファスナーエレメント又はアウター側右ファスナーエレメントに噛合する部位であるとともに、ベスト又はジャケット等のインナー衣類の左前立て又は右前立てに沿って配置されたインナー側左ファスナーエレメント又はインナー側右ファスナーエレメントに噛合する部位であり、上記一方のホック若しくは一方のボタン又は一方のボタンホールのそれぞれは、上記インナー衣類の左前立て又は右前立てに沿って固定又は形成されたインナー側ホック若しくはボタンホール又はボタンに連結する部位であるとともに、上記アウター衣類の左身頃又は右身頃の裏側に配置されたアウター側ホック若しくはアウター側ボタンホール又はアウター側ボタンに連結する部位であり、上記他方のファスナーエレメントは、上記アウター衣類の右身頃又は左身頃の裏側に配置されたアウター側右ファスナーエレメント又はアウター側左ファスナーエレメントに噛合する部位であるとともに、上記インナー衣類の右前立て又は左前立てに沿って配置されたインナー側右ファスナーエレメント又はインナー側左ファスナーエレメントに噛合する部位であり、上記他方のホック若しくは他方のボタン又は他方のボタンホールのそれぞれは、上記インナー衣類の右前立て又は左前立てに沿って固定又は形成されたインナー側ホック若しくはボタンホール又はボタンに連結する部位であるとともに、上記アウター衣類の右身頃又は左身頃の裏側に配置されたアウター側ホック若しくはアウター側ボタンホール又はアウター側ボタンに連結する部位である、ことを特徴とするものである。
【０００８】
この第１の発明に係る一対の衣類連結具は、一方の衣類連結具と他方の衣類連結具とから構成されたものであり、それぞれの衣類連結具は、一方又は他方の帯状体と、一方又は他方のファスナーエレメントが固定された一方又は他方のファスナーテープと、一方又は他方のホック若しくはボタン又はボタンホールとを備えたものである。そして、上記一方の衣類連結具は、概略的に記載すれば、アウター衣類の左側とインナー衣類の左側、又はアウター衣類の右側とインナー衣類の右側とを連結するものであり、上記他方の衣類連結具は、アウター衣類の右側とインナー衣類の右側、又はアウター衣類の右側とインナー衣類の右側とを連結するものであり、これら一対の衣類連結具により、アウター衣類とインナー衣類とは互いに連結される。
【０００９】
そして、上記一対の衣類連結具は、アウター衣類とインナー衣類が、以下の二つの関係性を有する場合において、互いに連結可能とされたものである。
関係性１
インナー衣類：左右の前立ての連結構造が線状ファスナーとされたタイプ（インナー側左ファスナーエレメントとインナー側右ファスナーエレメントを有し、これらのエレメントが互いに噛合されるタイプ）
アウター衣類：左右の前身頃の裏側にそれぞれ左右の前立てに沿ってアウター側ホック若しくはアウター側ボタンホール又はアウター側ボタンが配置されたタイプ。
関係性２
インナー衣類：左右の前立ての連結構造がインナー側ホック（左ホックと右ホックが連結される構造）若しくはインナー側ボタンホールとインナー側ボタンとの係合により連結されるタイプ。
アウター衣類：左の前身頃の裏側にアウター側左ファスナーエレメントを有し、右の前身頃の裏側にアウター側右ファスナーエレメントを有するタイプ。
そして、上記アウター衣類とインナー衣類との関係性が、上記関係性１に該当する場合いおいては、上記一対の衣類連結具を構成する一方の衣類連結具を構成する一方のファスナーエレメントは、上記インナー側左ファスナーエレメント又はインナー側右ファスナーエレメントに噛合する部位として使用され、また、上記関係性２に該当する場合においては、アウター側左ファスナーエレメント又はアウター側右ファスナーエレメントに噛合する部位として使用される。また、上記一対の衣類連結具を構成する他方の衣類連結具を構成する他方のファスナーエレメントは、上記インナー側右ファスナーエレメント又はインナー側左ファスナーエレメントに噛合する部位として使用され、また、上記関係性２に該当する場合においては、アウター側右ファスナーエレメント又はアウター側左ファスナーエレメントに噛合する部位として使用される。
また、上記アウター衣類とインナー衣類との関係性が、上記関係性１に該当する場合いおいては、上記一対の衣類連結具を構成する一方のホック若しくは一方のボタン又は一方のボタンホールは、上記アウター側ホック若しくはアウター側ボタンホール又はアウター側ボタンに連結又は係合される部位として使用され、また、上記関係性２に該当する場合においては、上記インナー側ホック若しくはインナー側ボタンホール又はインナー側ボタンに連結又は係合される部位として使用される。
【００１０】
したがって、上記第１の発明に係る一対の衣類連結具によれば、アウター衣類とインナー衣類とが上記二つの関係性を有する場合の何れである場合であっても、該アウター衣類とインナー衣類とを連結し、これらを重ねて着用することができる。
【００１１】
また、第２の発明（請求項２記載の発明）は、衣類に係るものであって、上記第１の発明（請求項１記載の発明）に係る一対の衣類連結具を構成する一方の衣類連結具と他方の衣類連結具とにより互いに連結されたジャンパー又はコート等のアウター衣類とベスト又はジャケット等のインナー衣類とを備えてなることを特徴とするものである。
【発明の効果】
【００１２】
本発明に係る一対の衣類連結具によれば、インナー衣類が、左右の前立ての連結構造が線状ファスナーとされたタイプ（インナー側左ファスナーエレメントとインナー側右ファスナーエレメントを有し、これらのエレメントが互いに噛合されるタイプ）であり、アウター衣類が、左右の前身頃の裏側にそれぞれ左右の前立てに沿ってアウター側ホック若しくはアウター側ボタンホール又はアウター側ボタンが配置されたタイプである場合であっても、インナー衣類が、左右の前立ての連結構造がインナー側ホック（左ホックと右ホックが連結される構造）若しくはインナー側ボタンホールとインナー側ボタンとの係合により連結されるタイプであり、アウター衣類が、左の前身頃の裏側にアウター側左ファスナーエレメントを有し、右の前身頃の裏側にアウター側右ファスナーエレメントを有するタイプである場合であっても、それぞれのアウター衣類とインナー衣類とを互いに連結することができる。
【図面の簡単な説明】
【００１３】
【図１】アウター衣類を一部省略して示す正面図である。
【図２】インナー衣類を一部省略して示す正面図である。
【図３】一対の衣類連結具によりアウター衣類とインナー衣類とが連結された状態を示す正面図である。
【図４】一対の衣類連結具、アウター衣類、インナー衣類をそれぞれ分解して示す正面図である。
【図５】一対の衣類連結具を構成する正面図を示すものであって（Ａ）は一方の衣類連結具の正面図であり、（Ｂ）は他方の衣類連結具の正面図である。
【図６】一対の衣類連結具を構成する背面図を示すものであって（Ａ）は一方の衣類連結具の背面図であり、（Ｂ）は他方の衣類連結具の背面図である。
【図７】一対の衣類連結具を構成する左側面図を示すものであって（Ａ）は一方の衣類連結具の左側面図であり、（Ｂ）は他方の衣類連結具の左側面図である。
【図８】一対の衣類連結具を構成する右側面図を示すものであって（Ａ）は一方の衣類連結具の右側面図であり、（Ｂ）は他方の衣類連結具の右側面図である。
【図９】一対の衣類連結具を構成する底面図を示すものであって（Ａ）は一方の衣類連結具の底面図であり、（Ｂ）は他方の衣類連結具の底面図である。
【図１０】一対の衣類連結具を構成する平面図を示すものであって（Ａ）は一方の衣類連結具の平面図であり、（Ｂ）は他方の衣類連結具の平面図である。
【図１１】別のアウター衣類とインナー衣類とを同じ一対の衣類連結具を用いて連結する状態を分解して示す正面図である。
【発明を実施するための最良の形態】
【００１４】
以下、本発明の実施の形態の形態に係る一対の衣類連結具を使用して互いに連結された衣服（アウター衣類とインナー衣類）を、図面を参照しながら詳細に説明する。
【００１５】
先ず、この実施の形態に係る一対の衣類連結具により互いに連結するアウター衣類１と、インナー衣類２の構成について説明する。なお、これらアウター衣類１とインナー衣類２とは、共に男性用の衣類である。このアウター衣類１は、ジャンパーやコート等のように外側に着用される衣類であって、図１に示すように、左前立て１ａに沿って左ホック１１が複数固定され、右前立て１ｂには、上記各左ホック１１が連結（嵌合）される右ホック１２がそれぞれ固定されている。また、上記アウター衣類１の左身頃１ｃの裏側には、上記左前立て１ａに沿って、左ファスナーエレメント１３ａが固定された左ファスナーテープ１３が固定され、上記右前立て１ｂには、上記左ファスナーエレメント１３ａに噛合する右ファスナーエレメント１４ａが固定された右ファスナーテープ１４が固定されている。なお、上記左ファスナーエレメント１３ａには、該左ファスナーエレメント１３ａと上記右ファスナーエレメント１４ａとを噛合させるとともにこれらの噛合状態を解除するメインスライダー１５が取り付けられている。したがって、このアウター衣類１は、上記メインスライダー１５のスライド操作による左ファスナーエレメント１３ａと右ファスナーエレメント１４ａとの噛合と、上記各左ホック１１と右ホック１２との連結（嵌合）とにより、左身頃１ｃ（左前立て１ａ）と右身頃１ｄ（右前立て１ｂ）とが閉塞される。
【００１６】
そして、このアウター衣類１の左身頃１ｃの裏側であって、上記左ファスナーテープ１３の固定位置よりも内側には、該左ファスナーテープ１３と平行とされたアウター側左ファスナーテープ１５が固定され、また、このアウター衣類１の右身頃１ｄの裏側であって、上記右ファスナーテープ１４の固定位置よりも内側には、該右ファスナーテープ１４と平行とされたアウター側右ファスナーテープ１６が固定されている。上記アウター側左ファスナーテープ１５には、アウター側左ファスナーエレメント１５ａが固定され、上記アウター側右ファスナーテープ１６には、アウター側右ファスナーエレメント１６ａが固定されており、上記アウター側左ファスナーエレメント１５ａには、第１及び第２の連結スライダー１７，１８が取り付けられている。なお、上記アウター衣類１の後身頃１ｅの上端側には、ボタン１９が固定されている。
【００１７】
また、上記インナー衣類２はダウンジャケットであり、図２に示すように、左身頃２ａには、左前立て２ｂに沿って複数のインナー側左ホック３が固定され、また、右身頃２ｃには、右前立て２ｄに沿って上記各インナー側左ホック３に連結（嵌合）されるインナー側右ホック４がそれぞれ固定されている。また、このインナー衣類２の後身頃２ｅの上端側中央には、上記アウター衣類１に固定されたボタン１９が挿通されるボタンホール５が設けられている。
【００１８】
すなわち、この実施の形態で説明するタイプは、インナー衣類２は、左右の前立て２ｂ，２ｄの連結構造がインナー側ホック（インナー側左ホック３とインナー側右ホック４とが連結される構造）とされ、アウター衣類１は、左の前身頃１ｃの裏側にアウター側左ファスナーエレメント１５ａを有し、右の前身頃１ｄの裏側にアウター側右ファスナーエレメント１６ａを有するものである。
【００１９】
そして、上記アウター衣類１とインナー衣類２とは、図３又は図４に示すように、本発明に係る一対の衣類連結具（一方の衣類連結具２１と他方の衣類連結具２２）により連結される。なお、この例では、上記アウター衣類１及びインナー衣類２は、冒頭に説明した通り、共に男性用の衣類であることから、インナー衣類２は、上記アウター衣類１の内側に、表裏を反転した状態で連結される。
【００２０】
図５中から図１０は、上記一方の衣類連結具２１と他方の衣類連結具２２のそれぞれ正面図、背面図、左側面図、右側面図、底面図及び平面図である。これらの図に示す通り、上記一方及び他方の衣類連結具２１，２２は、それぞれ細長い一方又は他方の帯状体２５，２６と、この一方又は他方の帯状体２５，２６の一側又は他側に固定された一方又は他方のファスナーテープ２７，２８と、この一方又は他方のファスナーテープ２７，２８に固定された一方又は他方のファスナーエレメント２７ａ，２８ａと、上記一方又は他方の帯状体２５，２６の一端側から他端側に亘って所定間隔隔ててそれぞれ配置された一方又は他方のホック２９，３０と、を備えている。なお、上記一方の衣類連結具２１を構成する一方のファスナーエレメント２７ａには、第１及び第２の連結具側スライダー３１，３２が取り付けられている。また、上記一方の衣類連結具２１を構成する各一方のホック２９は、正面側に嵌合部（符号は省略する。）である雄部が露出されているが、上記他方の衣類連結具２２を構成する各他方のホック３０は、図６に示すように、その被嵌合部（雌部）が背面側に露出されている。
【００２１】
以下、一方の衣類連結具２１と他方の衣類連結具２２とを使用して、上記アウター衣類１とインナー衣類２とを互いに連結する方法や、該一方の衣類連結具２１と他方の衣類連結具２２とによりアウター衣類１とインナー衣類２とが連結されている状態を説明する。
【００２２】
図４又は図５に示すように、上記一方の衣類連結具２１を構成する一方のファスナーエレメント２７ａは、上記アウター衣類１を構成するアウター側右ファスナーエレメント１６ａに噛合する部位であり、上記一方の衣類連結具２１を構成する第１及び第２の連結具側スライダー３１，３２内に、上記アウター側右ファスナーエレメント１６ａの下端側を挿入させ、この第２の連結具側スライダー３２を上方にスライドさせると、上記一方のファスナーエレメント２７ａとアウター衣類１を構成するアウター側右ファスナーエレメント１６ａは互いに噛合し、該一方の衣類連結具２１とアウター衣類１とが連結される。また、（表裏が反転された）上記インナー衣類２を構成する各インナー側左ホック３と上記一方の衣類連結具２１を構成する各一方のホック２９とを連結（嵌合）させる。
【００２３】
また、上記他方の衣類連結具２２を構成する他方のファスナーエレメント２８ａは、上記アウター衣類１を構成するアウター側左ファスナーエレメント１５ａに噛合する部位であり、該アウター衣類１を構成する第１及び第２の連結スライダー１７，１８内に、他方の衣類連結具２２を構成する上記他方のファスナーエレメント２８ａの下端側を挿入させ、第２の連結スライダー１８を上方にスライドさせると、上記他方のファスナーエレメント２８ａとアウター衣類１を構成するアウター側左ファスナーエレメント１５ａは互いに噛合し、該他方の衣類連結具２２とアウター衣類１とが連結される。また、（表裏が反転された）上記インナー衣類２を構成する各インナー側右ホック４と上記他方の衣類連結具２２を構成する各他方のホック３０とを連結（嵌合）させる。また、上記アウター衣類１を構成するボタン１９を上記インナー衣類２に設けられたボタンホール５内に挿通させる。
【００２４】
以上の操作により、図３に示すように、上記アウター衣類１とインナー衣類２とは、上記一対の衣類連結具（一方の衣類連結具２１と他方の衣類連結具２２）により連結される。
【００２５】
そして、上記一対の衣類連結具（一方の衣類連結具２１と他方の衣類連結具２２）は、上述したアウター衣類１とインナー衣類２との関係性とは異なる関係性を有したアウター衣類５１とインナー衣類５２との関係性を有する場合においても、これらアウター衣類５１とインナー衣類５２とを互いに連結することができる。なお、図１１中、図４に示すアウター衣類１やインナー衣類２と共通する部材は、同じ符号を用いる。
【００２６】
このアウター衣類５１は、図１１に示すように、左身頃１ｃの裏側であって、上記左ファスナーテープ１３の固定位置よりも図１１中左側には、該左ファスナーテープ１３と平行とされた帯状の左ホック固定布５５の図１１中右側が縫着され、この左ホック固定布５５には、一端から他端に亘って複数のアウター側左ホック（雌部）５６が固定されている。なお、この例では、上記左ホック固定布５５の裏面に、上記アウター側左ホック５６の嵌合部（雌部）が露出されている。また、上記アウター衣類５１の右身頃１ｄの裏側であって、上記右ファスナーテープ１４の図１１中右側には、該右ファスナーテープ１４と平行とされた帯状の右ホック固定布５７の図１１中左側が縫着され、この右ホック固定布５７には、一端から他端に亘って複数のアウター側右ホック５８が固定されている。なお、この例では、上記右ホック固定布５７の裏面に、上記アウター側右ホック５８の嵌合部（雄部）が露出されている。
【００２７】
また、上記インナー衣類５２は、表裏が反転されて上記アウター衣類５１に連結されるものであり、左身頃２ａには、左前立て２ｂに沿ってインナー側左ファスナーエレメント５９ａが固定されたインナー側左ファスナーテープ５９が固定されている。なお、このインナー側左ファスナーエレメント５９ａには、第１及び第２のメインスライダー６０，６１が該インナー側左ファスナーエレメント５９ａに沿ってスライド自在に取り付けられている。また、上記インナー衣類５２の右身頃２ｃには、右前立て２ｄに沿ってインナー側右ファスナーエレメント６４ａが固定されたインナー側右ファスナーテープ６４が固定されている。すなわち、このインナー衣類５２は、上記第２のメインスライダー６１をスライド操作することにより、上記インナー側左ファスナーエレメント５９ａとインナー側右ファスナーエレメント６４ａが互いに噛合し、上記左前立て２ｂと右前立て２ｄとが連結される構造とされたものである。
【００２８】
以下、上記アウター衣類５１とインナー衣類５２とを、先に説明した一対の衣類連結具（一方の衣類連結具２１と他方の衣類連結具２２）により互いに連結する方法を説明する。先ず、上記一方の衣類連結具２１（図５（Ａ）参照）を用いてアウター衣類５１とインナー衣類５２とを連結する方法を説明すると、該一方の衣類連結具２１を構成する上記第１及び第２の連結具側スライダー３１，３２内に、インナー衣類５２を構成するインナー側右ファスナーエレメント６４ａの下端側を挿入し、第２の連結具側スライダー３２を上方にスライドさせる。こうした第２の連結具側スライダー３２の操作により、上記インナー側右ファスナーエレメント６４ａと一方のファスナーエレメント２７ａとが互いに噛合する。また、上記一方の衣類連結具２１を構成する各一方のホック２９を、上記インナー衣類５２を構成するアウター側左ホック（雌部）５６に嵌合させる。
【００２９】
次に、上記他方の衣類連結具２２を用いてアウター衣類５１とインナー衣類５２とを連結する方法を説明する。なお、この場合、上記他方の衣類連結具２２は、図６（Ｂ）で示す状態から９０度回転させた状態で使用する。そして、この他方の衣類連結具２２を構成する他方のファスナーエレメント２８ａの下端側を上記第１及び第２のメインスライダー６０，６１内に挿通させ、該第２のメインスライダー６１を上方にスライド操作する。こうした第２のメインスライダー６１の操作により、上記他方のファスナーエレメント２８ａとインナー側左ファスナーエレメント５９ａは互いに噛合する。また、上記他方の衣類連結具２２を構成する各他方のホック（雌部）３０を、上記アウター衣類５１を構成するアウター側右ホック（雄部）５８に嵌合させる。
【００３０】
以上の操作により、上記アウター衣類５１とインナー衣類５２とは、上記一対の衣類連結具（一方の衣類連結具２１と他方の衣類連結具２２）により連結される。すなわち、この発明に係る一対の衣類連結具（一方の衣類連結具２１と他方の衣類連結具２２）によれば、先に説明した構成に係るアウター衣類１とインナー衣類２の関係性を有する二つの衣類であっても、後に説明した構成に係るアウター衣類５１とインナー衣類５２の関係性を有する二つの衣類であっても、互いを連結することができる。
【００３１】
なお、上述したアウター衣類１，５１とインナー衣類２，５２は、何れも男性用の衣類を図示して説明した関係から、図４や図５に示すインナー衣類２をアウター衣類１に連結する際においては、インナー衣類２を表裏反転させてアウター衣類１に連結させ、同様に、図１１に示すインナー衣類５２も表裏反転させてアウター衣類５１に連結させたが、例えば、アウター衣類１，５２がそれぞれ男性用である反面、インナー衣類２，５２が女性用である場合には、該インナー衣類２，５２を表裏反転させる必要は無く、該インナー衣類２，５２を通常着用する状態で男性用のアウター衣類１，５１に連結することができる。この場合においては、上記一方の衣類連結具２１と他方の衣類連結具２２は、図４や図１１に示す左右の位置関係を逆にする等して使用すれば良い。
【００３２】
また、上記実施の形態に係る一対の衣類連結具（一方の衣類連結具２１と他方の衣類連結具２２）では、一方又は他方のホック２９，３０を構成要素としたが、本発明に係る一対の衣類連結具（一方の衣類連結具２１と他方の衣類連結具２２）は、アウター衣類１，５１又はインナー衣類２，５２の何れかの左身頃又は右身頃の裏側に図示しないインナー側ボタンやインナー側ボタンホールが形成されている場合には、上記一方のホック２９に代えてボタンとし、また他方のホック３０に代えてボタンホール等としたものであっても良い。
【符号の説明】
【００３３】
１  アウター衣類
１ａ  左前立て
１ｂ  右前立て
１ｃ  左身頃
１ｄ  右身頃
２  インナー衣類
２ａ  左身頃
２ｂ  左前立て
２ｃ  右身頃
２ｄ  右前立て
３  インナー側左ホック
４  インナー側右ホック
１５ａ  アウター側左ファスナーエレメント
１５  アウター側ファスナーテープ
１６ａ  アウター側右ファスナーエレメント
１６  アウター側左ファスナーテープ
２１  一方の衣類連結具
２２  他方の衣類連結具
２５  一方の帯状体
２６  他方の帯状体
２７  一方のファスナーテープ
２７ａ  一方のファスナーエレメント
２８  他方のファスナーテープ
２８ａ  他方のファスナーエレメント
２９  一方のホック
３０  他方のホック
５１  アウター衣類
５２  インナー衣類
５６  アウター側左ホック
５８  アウター側右ホック
５９ａ  インナー側左ファスナーエレメント
６４ａ  インナー側右ファスナーエレメント
【図１】
2019119968.tif 000003
【図２】
2019119968.tif 000004
【図３】
2019119968.tif 000005
【図４】
2019119968.tif 000006
【図５】
2019119968.tif 000007
【図６】
2019119968.tif 000008
【図７】
2019119968.tif 000009
【図８】
2019119968.tif 000010
【図９】
2019119968.tif 000011
【図１０】
2019119968.tif 000012
【図１１】
2019119968.tif 000013